(57)【特許請求の範囲】
【請求項１】
複数本の中空糸膜を束ねたカートリッジ型モジュールを濾過タンク内に懸垂して固定するカートリッジ型モジュールの固定方法において、
濾過タンクの内部空間を仕切る仕切板に形成された貫通穴に前記カートリッジ型モジュールを挿通すると共に前記貫通穴の一部に設けられた該貫通穴の径方向内側に突出する突出部に該カートリッジ型モジュールの上端外周部に設けられたカートリッジヘッドの下端部を当接して該カートリッジ型モジュールを懸垂して支持させた後、弾性部材を前記貫通穴に挿入して前記カートリッジヘッドの上端面上に載置し、径方向に拡張／収縮可能なＣ字型形状の止め輪を収縮させた状態で前記貫通穴に挿入して前記弾性部材上に載置し、前記カートリッジヘッドの上部で前記貫通穴の壁面に形成した溝に対して前記止め輪を拡張させて係合して前記カートリッジ型モジュールのカートリッジヘッドを前記仕切板に係止して固定することを特徴とするカートリッジ型モジュールの固定方法。
【請求項２】
複数本の中空糸膜を束ねたカートリッジ型モジュールが濾過タンク内に懸垂して支持されるタンク型濾過装置において、
前記濾過タンク内に収容される前記カートリッジ型モジュールの上端部に配置され、且つ前記濾過タンクの内部空間を仕切る仕切板の所定位置に貫通穴が形成されると共に前記貫通穴の一部に該貫通穴の径方向内側に突出する突出部が形成され、前記カートリッジ型モジュールを前記貫通穴に挿通すると共に前記突出部に該カートリッジ型モジュールの上端外周部に設けられたカートリッジヘッドの下端部を当接して該カートリッジ型モジュールが懸垂して支持され、弾性部材を前記貫通穴に挿入して前記カートリッジヘッドの上端面上に載置し、径方向に拡張／収縮して前記カートリッジヘッドの上部で前記貫通穴の壁面に形成した溝に対して脱着可能なＣ字型形状の止め輪を前記弾性部材上に載置すると共に、前記貫通穴の壁面に形成した溝に係合して前記カートリッジ型モジュールのカートリッジヘッドが前記仕切板に係止して固定されたことを特徴とするタンク型濾過装置。
【請求項３】
前記止め輪と前記弾性部材とが一体的に構成されたことを特徴とする請求項２に記載のタンク型濾過装置。
【請求項４】
前記弾性部材は、バネ座金、皿バネ、プッシュナット、ウエーブワッシャー、Ｏリング、ガスケットのうちいずれか１つであることを特徴とする請求項２に記載のタンク型濾過装置。
【発明の詳細な説明】
【０００１】
【発明の属する技術分野】
本発明はカートリッジ型モジュールの固定方法及びこれを適用したタンク型濾過装置に係り、詳細には、生活排水、河川水、湖沼水、地下水或いは海水等を原水として精密濾過または限外濾過装置により大量に浄化する水処理に好適なタンク型濾過装置に装備されるカートリッジ型モジュールの固定方法に関するものである。
【０００２】
【従来の技術】
従来のカートリッジ型モジュールの固定方法の一例を図９（ａ），（ｂ）を用いて説明する。図９（ａ）において、図示しない濾過タンクの内部空間を仕切る仕切板51にカートリッジ型モジュール52を挿通する貫通穴51ａが形成され、該貫通穴51ａ近傍にボルト51ｂが立設されている。
【０００３】
そして、ボルト51ｂにリング状のパッキン53の孔53ａを挿通して仕切板51上にパッキン53を載置した後、カートリッジ型モジュール52の上端外周部に設けられたカートリッジヘッド54の上端部に形成されたフランジ54ａの孔54ｂをボルト51ｂに挿通してパッキン53上にフランジ54ａを載置し、ボルト51ｂにナット55を螺合締着してカートリッジ型モジュール52が仕切板51に固定される。
【０００４】
また、図９（ｂ）では、仕切板51に形成した貫通穴51ａの外周で該仕切板51上にリング状のパッキン53を載置した後、該パッキン53上にカートリッジヘッド54の上端部に形成されたフランジ54ａを載置し、仕切板51に立設されたボルト51ｂにナット55を螺合締着してナット55の下面をフランジ54ａの上面に当接させてカートリッジ型モジュール52が仕切板51に固定される。
【０００５】
【発明が解決しようとする課題】
しかしながら、前述の従来例において、図９（ａ）に示した構造ではカートリッジヘッド54のフランジ54ａに形成した孔54ｂを貫通穴51ａの外周に複数配置されたボルト51ｂに挿入する際の位置合わせが面倒であり、図９（ｂ）に示した構造では貫通穴51ａの外周に複数配置されたボルト51ｂに螺合されるナット55の下面をフランジ54ａの上面に均一に当接させる必要があるため、フランジ54ａの位置合わせが面倒であった。また、図９（ａ），（ｂ）に示した構造では複数のナット55をボルト51ｂに螺合締着する作業も面倒であり、ナット55の締め付けが不均一な場合、シール性が不十分となる虞があった。
【０００６】
本発明は前記課題を解決するものであり、その目的とするところは、カートリッジ型モジュールの固定及び取り外しがワンタッチで容易に出来るカートリッジ型モジュールの固定方法及びこれを適用したタンク型濾過装置を提供せんとするものである。
【０００７】
【課題を解決するための手段】
前記目的を達成するための本発明に係るカートリッジ型モジュールの固定方法は、複数本の中空糸膜を束ねたカートリッジ型モジュールを濾過タンク内に懸垂して固定するカートリッジ型モジュールの固定方法において、濾過タンクの内部空間を仕切る仕切板に形成された貫通穴に前記カートリッジ型モジュールを挿通すると共に前記貫通穴の一部に設けられた該貫通穴の径方向内側に突出する突出部に該カートリッジ型モジュールの上端外周部に設けられたカートリッジヘッドの下端部を当接して該カートリッジ型モジュールを懸垂して支持させた後、弾性部材を前記貫通穴に挿入して前記カートリッジヘッドの上端面上に載置し、径方向に拡張／収縮可能なＣ字型形状の止め輪を収縮させた状態で前記貫通穴に挿入して前記弾性部材上に載置し、前記カートリッジヘッドの上部で前記貫通穴の壁面に形成した溝に対して前記止め輪を拡張させて係合して前記カートリッジ型モジュールのカートリッジヘッドを前記仕切板に係止して固定することを特徴とする。
【０００８】
上記方法によれば、カートリッジ型モジュールを固定する際には仕切板に形成された貫通穴にカートリッジ型モジュールを挿通すると共に該貫通穴の径方向内側に突出する突出部にカートリッジヘッドの下端部を当接して支持させた後、該貫通穴の壁面に形成した溝に対してＣ字型形状の止め輪を拡張させて係合してカートリッジヘッドを仕切板に係止して簡単に固定することが出来、カートリッジ型モジュールを取り外す際には止め輪を収縮させて貫通穴の壁面に形成した溝から取り外した後、カートリッジ型モジュールを貫通穴から引き出すことで簡単に取り外すことが出来る。
【０００９】
また、本発明に係るタンク型濾過装置は、複数本の中空糸膜を束ねたカートリッジ型モジュールが濾過タンク内に懸垂して支持されるタンク型濾過装置において、前記濾過タンク内に収容される前記カートリッジ型モジュールの上端部に配置され、且つ前記濾過タンクの内部空間を仕切る仕切板の所定位置に貫通穴が形成されると共に前記貫通穴の一部に該貫通穴の径方向内側に突出する突出部が形成され、前記カートリッジ型モジュールを前記貫通穴に挿通すると共に前記突出部に該カートリッジ型モジュールの上端外周部に設けられたカートリッジヘッドの下端部を当接して該カートリッジ型モジュールが懸垂して支持され、弾性部材を前記貫通穴に挿入して前記カートリッジヘッドの上端面上に載置し、径方向に拡張／収縮して前記カートリッジヘッドの上部で前記貫通穴の壁面に形成した溝に対して脱着可能なＣ字型形状の止め輪を前記弾性部材上に載置すると共に、前記貫通穴の壁面に形成した溝に係合して前記カートリッジ型モジュールのカートリッジヘッドが前記仕切板に係止して固定されたことを特徴とする。
【００１０】
上記構成によれば、仕切板に形成された貫通穴の径方向内側に突出する突出部にカートリッジヘッドの下端部を当接させることで貫通穴に挿通されたカートリッジ型モジュールを支持させ、該貫通穴の壁面に形成した溝に対してＣ字型形状の止め輪を係合してカートリッジヘッドの上端部を該止め輪により係止して簡単な構造でカートリッジ型モジュールを固定することが出来、カートリッジヘッドの上端部が止め輪により係止されたことで濾過運転時の圧力等によるカートリッジ型モジュールの浮き上がりを防止することが出来る。
【００１１】
また、前記貫通穴の壁面に形成した溝に係合される止め輪と前記カートリッジ型モジュールの上端外周部に設けられたカートリッジヘッドの上端面との間に弾性部材を介在させたことで、止め輪とカートリッジヘッドの上端面との間に介在した弾性部材の弾性力によりカートリッジヘッドを圧接してカートリッジ型モジュールを確実に固定することが出来る。
【００１２】
また、前記止め輪と前記弾性部材とが一体的に構成された場合には、部品点数を削減することが出来、部品コストを低減すると共にカートリッジ型モジュールの取り付け取り外し作業の手間を更に軽減することが出来る。
【００１３】
前記弾性部材としてバネ座金、皿バネ、プッシュナット、ウエーブワッシャー、Ｏリング、ガスケットが使用出来る。
【００１４】
【発明の実施の形態】
図により本発明に係るカートリッジ型モジュールの固定方法及びこれを適用したタンク型濾過装置の一実施形態を具体的に説明する。図１はタンク型濾過装置の参考例の構成を示す断面説明図、図２は参考例においてカートリッジ型モジュールを仕切板により支持すると共にＣ字型形状の止め輪により係止した様子を示す要部拡大図、図３は参考例においてカートリッジ型モジュールを仕切板に取り付ける様子を示す斜視図、図４（ａ）はＣ字型形状の止め輪を示す平面図、図４（ｂ）はＣ字型形状の止め輪の側面図、図４（ｃ）はＣ字型形状の止め輪を仕切板の貫通穴の壁面に形成した溝に係合させた様子を示す平面説明図、図５は本発明に係るタンク型濾過装置の第１実施形態においてカートリッジ型モジュールを仕切板により支持すると共に弾性部材を介してＣ字型形状の止め輪により係止した様子を示す要部拡大図、図６は第１実施形態においてカートリッジ型モジュールを仕切板に取り付ける様子を示す斜視図、図７（ａ）〜（ｄ）は各種の弾性部材の構成を示す図、図８は本発明に係るタンク型濾過装置の第２実施形態においてカートリッジ型モジュールを仕切板により支持すると共に弾性部材を介してＣ字型形状の止め輪により係止した様子を示す要部拡大図である。
【００１５】
先ず、図１〜図４を用いてタンク型濾過装置の参考例の構成について説明する。図１において、１は原液を供給して濾過を行うタンク型濾過装置であり、例えば、生活排水、河川水、湖沼水、地下水或いは海水等を原水として精密濾過または限外濾過装置により大量に浄化する水処理に適用可能である。
【００１６】
タンク型濾過装置１の濾過タンク２内には、複数本の中空糸膜３を束ねたカートリッジ型モジュール４が懸垂して支持されるようになっており、濾過タンク２の内部空間は該濾過タンク２に固定された分離板５と仕切板６により３つの室に分割されている。
【００１７】
濾過タンク２は下部に配置して図示しない支持手段により立設されるタンク本体２ａと該タンク本体２ａの上部に取り付けられる蓋２ｂとに２分割して構成され、タンク本体２ａの内壁部の所定高さ位置に分離板５、仕切板６が夫々溶接等により水密的且つ気密的に固着されている。
【００１８】
これにより、タンク本体２ａの下部と分離板５とにより形成された空間と、タンク本体２ａの中部と分離板５と仕切板６とにより形成された空間とにより供給水室７，８が形成される。
【００１９】
また、蓋２ｂはパッキン９を介して図示しない固定手段によりタンク本体２ａの上部に水密的且つ気密的に固定され、仕切板６と蓋２ｂとにより形成された空間により処理水室10が形成される。
【００２０】
一方、中空糸膜３はその上端部が開口され、下端部が閉塞されており、多数本の中空糸膜３は束ねられてその上端部外周が接着剤により接着された接着層11により一体的に結合され、更にその接着層11は円筒形状のカートリッジヘッド12の内部に嵌挿して接着剤により該カートリッジヘッド12に固着されている。
【００２１】
また、カートリッジヘッド12の下端部には一体的に束ねられた中空糸膜３の外周に嵌挿されるカートリッジ筒13が溶接により固着されており、カートリッジヘッド12の上端から該カートリッジヘッド12に接続されたカートリッジ筒13の下端までの長さは中空糸膜３の全長よりも長くなるように設定されている。
【００２２】
多数本の中空糸膜３は束ねられてその下端部が接着剤により接着された接着層14により一体的に結合され、更にその接着層14はカートリッジ筒13の内部に固着されている。接着層14には原水及び洗浄用の気体や液体をカートリッジ型モジュール４の内部に導入するための図示しない貫通穴が形成されている。
【００２３】
また、中空糸膜３の下端よりも更に下方に伸びるカートリッジ筒13のスカート部13ａにより供給水室７から分離板５に設けられたノズル５ａを介して供給されるエアバブリング用の空気が接着層14の貫通穴を介して各カートリッジ型モジュール４の中空糸膜３に効率よく導かれるようになっている。
【００２４】
濾過タンク２の内部空間を仕切ると共に該濾過タンク２内に収容されるカートリッジ型モジュール４の上端部に配置され、該カートリッジ型モジュール４を懸垂して支持する仕切板６は全部のカートリッジ型モジュール４の重量及び処理水室10内部に加わる内圧（水圧）により該カートリッジ型モジュール４の上面及び該仕切板６の上面に加わる荷重に対抗し得る強度を有する所定の厚さで構成され、カートリッジ型モジュール４が挿通される複数の貫通穴６ａが所定位置に形成されている。
【００２５】
仕切板６の貫通穴６ａの下部には該貫通穴６ａの径方向内側に突出する突出部６ｂが形成され、該突出部６ｂにカートリッジ型モジュール４の上端外周部に設けられたカートリッジヘッド12の下端部が当接して該カートリッジ型モジュール４を懸垂して支持するようになっている。
【００２６】
仕切板６の貫通穴６ａの壁面にはＯリング15が嵌入されるＯリング嵌合溝６ｃが設けられており、Ｏリング嵌合溝６ｃに嵌入されたＯリング15にカートリッジヘッド12の外部壁面が圧接することによりカートリッジヘッド12が仕切板６に対して水密的且つ気密的に取り付けられている。尚、Ｏリング15を嵌合する溝をカートリッジヘッド12側に設けても良い。
【００２７】
また、カートリッジヘッド12の上端面に対応する位置で仕切板６の貫通穴６ａの壁面には、径方向に拡張／収縮可能なＣ字型形状の止め輪16が嵌入して係合される止め輪嵌合溝６ｄが形成されており、止め輪16を収縮させた状態で仕切板６の貫通穴６ａに挿入し、カートリッジヘッド12の上部で該貫通穴６ａの壁面に形成した止め輪嵌合溝６ｄに対して止め輪16を拡張させて係合してカートリッジ型モジュール４のカートリッジヘッド12を仕切板６に係止して固定することが出来るようになっており、これによってカートリッジ型モジュール４が安定して濾過タンク２内部に収容されている。
【００２８】
径方向に拡張／収縮可能なＣ字型形状の止め輪16の材質としては、例えば、JIS G3311 S60CM 〜S70CM 、SK5M等の磨き特殊帯鋼材、JIS G3506 SWRH62〜SWRH82等の硬鋼線材、或いはバネ用鋼帯等の鉄鋼材料やSUS304、SUS316等のステンレス鋼材等が適用可能である。
【００２９】
図３及び図４に示すように、止め輪16の開口端部両側には一対の孔16ａが形成されており、該孔16ａに図示しない治具を挿通して止め輪16が有する弾性力に抗して該孔16ａ同士を近接させる方向に力を加えると該止め輪16を径方向に収縮させることが出来るようになっており、上記治具の力を緩めると止め輪16が有する弾性力により該止め輪16が径方向に拡張するようになっている。
【００３０】
そして、カートリッジ型モジュール４を仕切板６に固定する際には図３に示すように、仕切板６に形成された貫通穴６ａにカートリッジ型モジュール４を挿通すると共に該貫通穴６ａの径方向内側に突出する突出部６ｂにカートリッジヘッド12の下端部を当接して支持させた後、止め輪16を収縮させた状態で貫通穴６ａに挿入し、図４（ｃ）に示すように、貫通穴６ａの壁面に形成した止め輪嵌合溝６ｄに対して止め輪16を拡張させて係合することで、カートリッジヘッド12の上面が止め輪16の下面により規制されるためカートリッジヘッド12を仕切板６に係止して簡単に固定することが出来る。
【００３１】
また、カートリッジ型モジュール４を仕切板６から取り外す際には止め輪16を収縮させて貫通穴６ａの壁面に形成した止め輪嵌合溝６ｄから取り外した後、カートリッジ型モジュール４を貫通穴６ａから引き出すことで簡単に取り外すことが出来る。
【００３２】
上記構成において、タンク型濾過装置１による濾過運転時には、図示しないポンプにより濾過タンク２のタンク本体２ａの下部に設けられた供給水入口２ｃから供給水室７に供給され、更に分離板５に設けられたノズル５ａを通過して供給水室８に供給された原水は該供給水室８に充満すると共にカートリッジ筒13のスカート部13ａから接着層14の図示しない貫通穴を通過してカートリッジ筒13の内部に導かれる。
【００３３】
カートリッジ筒13の内部で中空糸膜３の外周部近傍の原水は該中空糸膜３の外部から内部に加圧濾過されて該中空糸膜３の開口された上端部から処理水室10に導かれ、該処理水室10に収容された濾水は蓋２ｂの上部に設けられた処理水取出口２ｄから濾過タンク２の外部に取り出される。
【００３４】
一方、逆洗時は処理水取出口２ｄから濾水を供給して供給水室８に逆流させ、中空糸膜３に蓄積した懸濁物質を排除して分離板５のノズル５ａから供給水室７を通って供給水入口２ｃから濾過タンク２の外部に排出される。
【００３５】
上記構成によれば、仕切板６に形成された貫通穴６ａの径方向内側に突出する突出部６ｂにカートリッジヘッド12の下端部を当接させることで貫通穴６ａに挿通されたカートリッジ型モジュール４を支持させ、該貫通穴６ａの壁面に形成した止め輪嵌合溝６ｄに対してＣ字型形状の止め輪16を係合してカートリッジヘッド12の上端部を該止め輪16により係止して簡単な構造でカートリッジ型モジュール４を固定することが出来、カートリッジヘッド12の上端部が止め輪16により係止されたことで濾過運転時の供給水室８内で発生する圧力等によるカートリッジ型モジュール４の浮き上がりを防止することが出来る。
【００３６】
また、止め輪16を止め輪嵌合溝６ｄにワンタッチで嵌め込むだけでカートリッジ型モジュール４を固定することが出来、図９（ａ）に示して前述した従来例のようにカートリッジヘッド54のフランジ54ａに形成した孔54ｂを貫通穴51ａの外周に複数配置されたボルト51ｂに挿入する際の位置合わせや、図９（ｂ）に示して前述した従来例のように貫通穴51ａの外周に複数配置されたボルト51ｂに螺合されるナット55の下面をフランジ54ａの上面に均一に当接させる必要からフランジ54ａの位置合わせを行うような面倒な作業が省略出来、複数のナット55をボルト51ｂに螺合締着する面倒な作業も省略出来るので作業性が良い。
【００３７】
次に図５〜図７を用いて本発明に係るタンク型濾過装置の第１実施形態について説明する。尚、前記参考例と同様に構成したものは同一の符号を付して説明を省略する。
【００３８】
本実施形態では、図５及び図６に示すように、仕切板６に形成した貫通穴６ａの壁面に形成した止め輪嵌合溝６ｄに係合される止め輪16とカートリッジ型モジュール４の上端外周部に設けられたカートリッジヘッド12の上端面との間に弾性部材となるバネ座金17を介在させたものである。
【００３９】
本実施形態において、カートリッジ型モジュール４を仕切板６に固定する際には図６に示すように、仕切板６に形成された貫通穴６ａにカートリッジ型モジュール４を挿通すると共に該貫通穴６ａの径方向内側に突出する突出部６ｂにカートリッジヘッド12の下端部を当接して支持させた後、バネ座金17を貫通穴６ａに挿入してカートリッジヘッド12の上面に載置し、更に、止め輪16を収縮させた状態で貫通穴６ａに挿入し、貫通穴６ａの壁面に形成した止め輪嵌合溝６ｄに対して止め輪16を拡張させて係合することで、カートリッジヘッド12の上端面が止め輪16の下面により規制されるバネ座金17を介してカートリッジヘッド12を仕切板６に係止して簡単に固定することが出来る。
【００４０】
また、カートリッジ型モジュール４を仕切板６から取り外す際には止め輪16を収縮させて貫通穴６ａの壁面に形成した止め輪嵌合溝６ｄから取り外すと共にバネ座金17を貫通穴６ａから脱離した後、カートリッジ型モジュール４を貫通穴６ａから引き出すことで簡単に取り外すことが出来る。
【００４１】
上記構成によれば、止め輪16とカートリッジヘッド12の上端面との間に介在した弾性部材であるバネ座金17が有する弾性力によりカートリッジヘッド12を圧接してカートリッジ型モジュール４を確実に固定することが出来る。
【００４２】
尚、本実施形態では弾性部材の一例として図７（ａ）に示すようなバネ座金17を適用した場合について説明したが、弾性部材の他の例として、図７（ｂ）に示すような皿バネ18、図７（ｃ）に示すようなプッシュナット19、図７（ｄ）に示すようなウエーブワッシャー20を適用することでも良く、更には図示しないＯリング、ガスケット、コイルバネ等を弾性部材として適用することも可能である。
【００４３】
上述のように弾性部材としてバネ座金17、皿バネ18、プッシュナット19、ウエーブワッシャー20を使用した場合には市販された安価な部品が使用出来、部品コストを更に低減することが出来る。他の構成は前記参考例と同様に構成され、同様な効果を得ることが出来る。
【００４４】
次に図８を用いて本発明に係るタンク型濾過装置の第２実施形態について説明する。尚、前記参考例、第１実施形態と同様に構成したものは同一の符号を付して説明を省略する。
【００４５】
本実施形態では、図８に示すように、前述した実施形態の止め輪16の下部に板バネやコイルバネ等の弾性部材が一体的に形成されたＣ字型形状の止め輪21を適用したものである。これによれば、部品点数を削減することが出来、部品コストを低減すると共にカートリッジ型モジュール４の取り付け取り外し作業の手間を軽減することが出来る。他の構成は前記実施形態と同様に構成され、同様な効果を得ることが出来る。
【００４６】
【発明の効果】
本発明に係るカートリッジ型モジュールの固定方法によれば、カートリッジ型モジュールを固定する際には仕切板に形成された貫通穴にカートリッジ型モジュールを挿通すると共に該貫通穴の径方向内側に突出する突出部にカートリッジヘッドの下端部を当接して支持させた後、該貫通穴の壁面に形成した溝に対してＣ字型形状の止め輪を拡張させて係合してカートリッジヘッドを仕切板に係止して簡単に固定することが出来、カートリッジ型モジュールを取り外す際には止め輪を収縮させて貫通穴の壁面に形成した溝から取り外した後、カートリッジ型モジュールを貫通穴から引き出すことで簡単に取り外すことが出来るため、カートリッジ型モジュールの固定及び取り外しがワンタッチで容易に出来る。
【００４７】
また、本発明に係るタンク型濾過装置によれば、仕切板に形成された貫通穴の径方向内側に突出する突出部にカートリッジヘッドの下端部を当接させることで貫通穴に挿通されたカートリッジ型モジュールを支持させ、該貫通穴の壁面に形成した溝に対してＣ字型形状の止め輪を係合してカートリッジヘッドの上端部を該止め輪により係止して簡単な構造でカートリッジ型モジュールを固定することが出来、カートリッジヘッドの上端部が止め輪により係止されたことで濾過運転時の圧力等によるカートリッジ型モジュールの浮き上がりを防止することが出来る。
【００４８】
また、前記貫通穴の壁面に形成した溝に係合される止め輪と前記カートリッジ型モジュールの上端外周部に設けられたカートリッジヘッドの上端面との間に弾性部材を介在させたことで、止め輪とカートリッジヘッドの上端面との間に介在した弾性部材の弾性力によりカートリッジヘッドを圧接してカートリッジ型モジュールを確実に固定することが出来る。
【００４９】
また、前記止め輪と前記弾性部材とが一体的に構成された場合には、部品点数を削減することが出来、部品コストを低減すると共にカートリッジ型モジュールの取り付け取り外し作業の手間を軽減することが出来る。
【００５０】
前記弾性部材としてバネ座金、皿バネ、プッシュナット、ウエーブワッシャー、Ｏリング、ガスケットが使用出来る。
【図面の簡単な説明】
【図１】  タンク型濾過装置の参考例の構成を示す断面説明図である。
【図２】  参考例においてカートリッジ型モジュールを仕切板により支持すると共にＣ字型形状の止め輪により係止した様子を示す要部拡大図である。
【図３】  参考例においてカートリッジ型モジュールを仕切板に取り付ける様子を示す斜視図である。
【図４】  （ａ）はＣ字型形状の止め輪を示す平面図、（ｂ）はＣ字型形状の止め輪の側面図、（ｃ）はＣ字型形状の止め輪を仕切板の貫通穴の壁面に形成した溝に係合させた様子を示す平面説明図である。
【図５】  本発明に係るタンク型濾過装置の第１実施形態においてカートリッジ型モジュールを仕切板により支持すると共に弾性部材を介してＣ字型形状の止め輪により係止した様子を示す要部拡大図である。
【図６】  第１実施形態においてカートリッジ型モジュールを仕切板に取り付ける様子を示す斜視図である。
【図７】  （ａ）〜（ｄ）は各種の弾性部材の構成を示す図である。
【図８】  本発明に係るタンク型濾過装置の第２実施形態においてカートリッジ型モジュールを仕切板により支持すると共に弾性部材を介してＣ字型形状の止め輪により係止した様子を示す要部拡大図である。
【図９】 従来例を説明する図である。
【符号の説明】
１…タンク型濾過装置
２…濾過タンク
２ａ…タンク本体
２ｂ…蓋
２ｃ…供給水入口
２ｄ…処理水取出口
３…中空糸膜
４…カートリッジ型モジュール
５…分離板
５ａ…ノズル
６…仕切板
６ａ…貫通穴
６ｂ…突出部
６ｃ…Ｏリング嵌合溝
６ｄ…止め輪嵌合溝
７，８…供給水室
９…パッキン
10…処理水室
11…接着層
12…カートリッジヘッド
13…カートリッジ筒
13ａ…スカート部
14…接着層
15…Ｏリング
16…止め輪
16ａ…孔
17…バネ座金
18…皿バネ
19…プッシュナット
20…ウエーブワッシャー
21…止め輪
【図１】
0004069226.tif 000002
【図２】
0004069226.tif 000003
【図３】
0004069226.tif 000004
【図４】
0004069226.tif 000005
【図５】
0004069226.tif 000006
【図６】
0004069226.tif 000007
【図７】
0004069226.tif 000008
【図８】
0004069226.tif 000009
【図９】
0004069226.tif 000010